(57)【要約】      （修正有）【課題】展板を急傾斜な搬送ラインにおいて搬送させる場合にもチェーンコンベヤの平滑な搬送面から滑落することなく、安定した状態で保持して搬送させることが出来る樹脂製チェーンコンベヤ。【解決手段】樹脂製チェーンコンベヤ１は、アセタール等の樹脂材料から成る樹脂製チェーンブロック単体２の前後端部２ａ，２ｂを、樹脂製の連結ピン及び金属製の連結ピンを介して旋回可能に連結し、所定の長さのエンドレス状の樹脂製のチェーンコンベヤに構成。チェーンコンベヤ１のチェーンブロック単体２は、ブロック本体部４の搬送面４ａが前後の連結端部片４ｘに、樹脂製チェーンコンベヤ１の凹凸状の係合部５ａ，５ｂを形成し、前記凹凸状の係合部５ａ，５ｂの側面中央には、チェーンブロック単体２の凹部と凸部とを互いに係合させた状態で旋回可能に連結させる前記棒状の連結ピン及びを挿通させるための円形状の貫通穴が形成。【選択図】図５
2012166884.tif 000002
【特許請求の範囲】
【請求項１】
樹脂製チェーンブロック単体の前後端部を連結ピンを介して旋回自在に多数連結し、所定の長さのチェーンコンベヤに構成する樹脂製チェーンコンベヤにおいて、  前記各樹脂製チェーンブロック単体は、ブロック本体部の搬送面が平滑で、かつブロック本体部の前後の連結端部片に、チェーンコンベヤの幅方向に交互に着脱可能な凹凸状の係合部を形成し、前記凹凸状の係合部の側面中央に、各チェーンブロック単体を互いに係合させた状態で旋回可能に連結させる棒状の連結ピンを挿通させるための貫通穴を形成し、前記各貫通穴に着脱可能に挿通させる複数本の連結ピンのうちの一部を、チェーンコンベヤ上を搬送する金属製の搬送材料を吸着可能な磁性材料により構成したことを特徴とする樹脂製チェーンコンベヤ。
【請求項２】
前記棒状の連結ピンは、複数本の樹脂製の連結ピンと複数本の磁性材料により構成した連結ピンとにより構成し、前記磁性材料により構成した連結ピンは、多数の樹脂製チェーンブロック単体を連結するチェーンコンベヤの長手方向に対して、所定の間隔で配設する請求項１に記載の樹脂製チェーンコンベヤ。
【請求項３】
前記磁性材料により構成した連結ピンは、径方向２極の永久磁石を使用する請求項１または２に記載の樹脂製チェーンコンベヤ。
【請求項４】
前記樹脂製チェーンブロック単体の凹凸状の係合部の側面中央に形成した貫通穴の一端側内部に、連結ピンの脱落防止用のストッパを埋設した請求項１、２または３に記載の樹脂製チェーンコンベヤ。
【請求項５】
前記チェーンブロック本体の搬送面の裏面側に、チェーンコンベヤのガイド用突起を形成した請求項１、２、３または４に記載の樹脂製チェーンコンベヤ。
【発明の詳細な説明】
【技術分野】
【０００１】
この発明は、例えば、パン，菓子等の食品生地類を載置した金属製の展板を搬送させるための樹脂製チェーンコンベヤに係わり、更に詳しくは，特に急傾斜な搬送ラインにおいても展板等を滑らせて落下させたり、位置をずらすことなく安定した状態で保持して搬送させることが出来る樹脂製チェーンコンベヤに関するものである。
【背景技術】
【０００２】
従来、パン，菓子等の食品の製造工程では、食品生地類を載置した金属製の展板を搬送する手段として所定の長さのチェーンコンベヤ，ベルトコンベヤ，ローラコンベヤ等の搬送コンベヤが使用され、この搬送コンベヤを複数台接続させ、その搬送コンベヤ上に金属製の展板を載置して搬送することが行われている。
【０００３】
特に、パンの製造工程においては、例えば、食品生地の最終醗酵工程と焼成工程（例えば、トンネルオーブン等）とを結ぶ搬送経路や、その他の搬送経路に食品生地を載置した展板を載せた状態で所定の速度で搬送する複数台のチェーンコンベヤを接続させて平面的に配置したり、急傾斜に配置させ、複数の製造工程へ搬送するようにしている。
【０００４】
また、従来のチェーンコンベヤとして、金属製のチェーンコンベヤや、プラスチック製のチェーンコンベヤ（例えば、特許文献１参照）が知られているが、形状や長さ等を任意に設定できる上、また軽量で安価に使用出来、更に安全に使用出来ることから所定幅に成形された多数のプラスチック製のチェーンブロック単体と、このチェーンブロック単体の前後端部を旋回自在に連結する複数本の棒状に形成された樹脂製の連結ピンとから構成される樹脂製チェーンコンベヤが使用される場合が多い。
【０００５】
上記樹脂製チェーンコンベヤを構成するプラスチック製のチェーンブロック単体としては、例えば、ブロック本体部の搬送面（上面）が平滑で、かつブロック本体部の前後の連結端部片には、コンベヤの幅方向に交互に着脱可能な凹凸状の係合部を備えており、この凹凸状の係合部の側面中央には、チェーンブロック単体を互いに係合させた状態で旋回自在に連結させる樹脂製の連結ピンを挿通させるための貫通穴が形成されている。
【０００６】
そして所定幅に形成された多数のプラスチック製のチェーンブロック単体の前後端部を上記のような樹脂製の連結ピンにより連結させて所定の長さのエンドレス状の樹脂製チェーンコンベヤを構成し、この樹脂製チェーンコンベヤを所定の間隔（展板を載置させるため展板の幅に合わせる）を隔てて複数列（例えば、所定の間隔を隔てて二列）配置し、そして樹脂製チェーンコンベヤの搬送面（上面）上に上述したような食品生地類を載置した金属製の展板を載置させて搬送させるものである。
【０００７】
しかし、樹脂製チェーンコンベヤを水平状態に設置して展板を搬送させる場合には、樹脂製チェーンコンベヤの搬送面から金属製の展板が滑落したり、位置が移動することも少ないが、樹脂製チェーンコンベヤを急傾斜状態（例えば、傾斜角度が３０度〜６０度）に設置する場合には、金属製の展板がチェーンコンベヤの平滑な搬送面（上面）から滑って樹脂製チェーンコンベヤ上から落下することがあり、このため、複数列に配置する樹脂製チェーンコンベヤの間に金属製の展板を吸着保持するための強力な吸着力を有する板状の磁石を所定の間隔で配置している。
【０００８】
しかしながら、板状の磁石を樹脂製チェーンコンベヤの間に配設するには、磁石の重量が大きい上に設置に多くの手間と時間がかかり、また設備や、板状の磁石が高価になると言う問題があった。
【先行技術文献】
【特許文献】
【０００９】
【特許文献１】特開平７−３０９４１７号公報
【発明の概要】
【発明が解決しようとする課題】
【００１０】
この発明はかかる従来の課題に着目し、従来のような重量が大きく、高価で板状の磁石を使用することなく、また例えば、食品生地類を載置した金属製の展板を急傾斜な搬送ラインにおいて搬送させる場合にもチェーンコンベヤの平滑な搬送面から滑落することなく、安定した状態で保持して搬送させることが出来る樹脂製チェーンコンベヤを提供することを目的とするものである。
【課題を解決するための手段】
【００１１】
この発明は上記目的を達成するため、各樹脂製チェーンブロック単体は、ブロック本体部の搬送面が平滑で、かつブロック本体部の前後の連結端部片に、チェーンコンベヤの幅方向に交互に着脱可能な凹凸状の係合部を形成し、前記凹凸状の係合部の側面中央に、各チェーンブロック単体を互いに係合させた状態で旋回可能に連結させる棒状の連結ピンを挿通させるための貫通穴を形成し、前記各貫通穴に着脱可能に挿通させる複数本の連結ピンのうちの一部を、チェーンコンベヤ上を搬送する金属製の搬送材料を吸着可能な磁性材料により構成したことを要旨とするものである。
【００１２】
ここで、前記棒状の連結ピンは、樹脂製の連結ピンと磁性材料により構成した連結ピンとの複数本により構成し、前記磁性材料により構成した連結ピンは、多数の樹脂製チェーンブロック単体を連結するチェーンコンベヤの長手方向に所定の間隔で配設し、前記磁性材料により構成した連結ピンは、径方向２極の永久磁石を使用するものである。
【００１３】
また、前記樹脂製チェーンブロック単体の凹凸状の係合部の側面中央に形成した貫通穴の一端側内部に、連結ピンの脱落防止用のストッパを埋設し、前記チェーンブロック本体の搬送面の裏面側に、チェーンコンベヤのガイド用突起を形成するものである。
【発明の効果】
【００１４】
この発明は上記のように、樹脂製チェーンブロック単体の前後端部を連結ピンを介して旋回自在に多数連結し、所定の長さのチェーンコンベヤに構成する樹脂製チェーンコンベヤにおいて、前記各樹脂製チェーンブロック単体は、ブロック本体部の搬送面が平滑で、かつブロック本体部の前後の連結端部片に、チェーンコンベヤの幅方向に交互に着脱可能な凹凸状の係合部を形成し、前記凹凸状の係合部の側面中央に、各チェーンブロック単体を互いに係合させた状態で旋回可能に連結させる棒状の連結ピンを挿通させるための貫通穴を形成し、前記各貫通穴に着脱可能に挿通させる複数本の連結ピンのうちの一部を、チェーンコンベヤ上を搬送する金属製の搬送材料を吸着可能な磁性材料により構成したので、以下のような優れた効果を奏するものである。
（ａ）．例えば、食品生地類を載置した金属製の展板を急傾斜な搬送ラインにおいて搬送させる場合にもチェーンコンベヤの平滑な搬送面から滑落することなく、安定した状態で保持して搬送させることが出来る。
（ｂ）．従来のような重量が大きく、高価で板状の磁石を使用することなく、食品類の搬送に安価で安全に使用することが出来る。
（ｃ）．チェーンコンベヤの設置や、搬送に多くの手間と時間がかからず、またチェーンコンベヤの長さを任意に調整できる。
【図面の簡単な説明】
【００１５】
【図１】この発明を実施した樹脂製チェーンコンベヤの一部正面図である。
【図２】図１の平面図である。
【図３】図２のＡ−Ａ矢視拡大側面図である。
【図４】図２のＸ部の拡大平面図である。
【図５】この発明を実施した樹脂製チェーンコンベヤの一部拡大斜視図である。
【図６】樹脂製チェーンコンベヤを構成する樹脂製チェーンブロック単体の連結状態を示す平面説明図である。
【図７】図６の背面図である。
【図８】樹脂製チェーンブロック単体の貫通穴に埋設した連結ピンの脱落防止用のストッパの説明図である。
【図９】樹脂製チェーンブロック単体の貫通穴に埋設した連結ピンの脱落防止用のストッパの説明図である。
【発明を実施するための形態】
【００１６】
以下、添付図面に基づき、この発明の実施形態を説明する。
【００１７】
図１は、この発明を実施した樹脂製チェーンコンベヤの一部正面図、図２は図１の平面図、図３は図２のＡ−Ａ矢視拡大側面図を示し、この発明の実施形態では、樹脂製チェーンコンベヤ１を急傾斜状態（例えば、傾斜角度が３０度〜６０度）に設置して急傾斜チェーンコンベヤとして使用する場合について説明するが、急傾斜状態に限定されず、水平な状態に設置して実施することも可能である。
【００１８】
前記樹脂製チェーンコンベヤ１は、図５〜図７に示すようにアセタール等の樹脂材料から成る樹脂製チェーンブロック単体２の前後端部２ａ，２ｂを、複数本の樹脂製の連結ピン３ａ（例えば、ナイロン製で断面円形状の棒状連結ピン）及び金属製の連結ピン３ｂ（この実施形態では磁性材料、例えば、径方向２極のネオジム磁石により形成した断面円形状の棒状連結ピン）を介して旋回可能に多数連結し、所定の長さのエンドレス状の樹脂製のチェーンコンベヤに構成するものである。
【００１９】
前記樹脂製チェーンコンベヤ１の各樹脂製チェーンブロック単体２は、ブロック本体部４の搬送面４ａ（上面）が平滑で、かつブロック本体部４の前後の連結端部片４ｘに、樹脂製チェーンコンベヤ１の幅方向Ｈに交互に着脱可能な凹凸状の係合部５ａ，５ｂを形成し、更に前記凹凸状の係合部５ａ，５ｂの側面中央には、各チェーンブロック単体２の凹凸状の係合部５ａ，５ｂの凹部と凸部とを互いに係合させた状態で旋回可能に連結させる前記棒状の連結ピン３ａ及び３ｂを挿通させるための円形状の貫通穴６が形成してある。
【００２０】
例えば、図６に示すように、各チェーンブロック単体２の凹凸状の係合部５ａ，５ｂを互いに凹部と凸部とを係合させた状態で、貫通穴６内に直径６ｍｍ前後の棒状の連結ピン３ａ及び３ｂを樹脂製チェーンコンベヤ１の片側から挿入し、各チェーンブロック単体２を順次接続させて連結させる。
【００２１】
このように構成した所定幅（この実施形態のチェーンコンベヤの幅は８０ｍｍ〜９０ｍｍのものを使用しているが、特にチェーン幅には限定されず、任意のものを使用することが可能である）で、所定長さのエンドレス状の樹脂製チェーンコンベヤ１を、コンベヤフレーム７の前後部に設置された駆動スプロケット８ａと従動スプロケット８ａに所定の間隔（食品生地等を載置する金属製の展板Ｗに対応させる）を隔てて二列並列に掛け回し、図２及び図４に示すように、駆動スプロケット８ａの駆動軸９に設けた駆動モータ１０により回転駆動させてエンドレス状の樹脂製チェーンコンベヤ１上に載置された金属製の展板Ｗを搬送するものである。
【００２２】
前記チェーンブロック本体３の搬送面４ａの裏面側には、図７に示すように、樹脂製チェーンコンベヤ１の長手方向に沿って断面コ字状のガイド用突起１１が相対向させて形成してある。また、前記樹脂製チェーンブロック単体２の凹凸状の係合部５ａ，５ｂの側面中央に形成した貫通穴６の一端側内部には、図８及び図９に示すように、連結ピン３ａ及び３ｂの脱落防止用のストッパ１２が埋設してある。
【００２３】
このストッパ１２は、前記各チェーンブロック単体２の幅方向の一端側内部に、前記連結ピン３ａ及び３ｂを挿通させるための貫通穴６と直交する向きにスライド穴１３を形成し、このスライド穴１３内にストッパピン１４をスライド可能に挿入させ、ストッパピン１４を押圧して図８及び図９に示すように貫通穴６内に出没させることで、連結ピン３ａ及び３ｂを貫通穴６内に保持させて脱落するのを防止したり、また抜き取ることで、樹脂製チェーンブロック単体２を分離させ、樹脂製チェーンコンベヤ１の長さ等を簡便に調整出来るようにしてある。
【００２４】
この発明の樹脂製チェーンコンベヤ１を急傾斜状態（例えば、傾斜角度が３０度〜６０度）に設置して急傾斜チェーンコンベヤとして使用する場合、上記のように、予め樹脂製チェーンブロック単体２を連結するための複数本の連結ピン３ａ及び３ｂのうちの一部を磁性材料で構成した連結ピンを使用すると共に、この磁性材料で構成した連結ピン３ａまたは３ｂを樹脂製チェーンコンベヤ１の長手方向に所定の間隔（金属製の展板Ｗの長さに対応させる）で配設して使用する。
【００２５】
このようにして使用することで、例えば、食品生地等を載置する金属製の展板Ｗを急傾斜チェーンコンベヤ上を搬送する場合でも金属製の展板Ｗを磁性材料で構成した連結ピン３ａまたは３ｂによりブロック本体部４を通して吸着保持させることにより、展板Ｗが樹脂製チェーンコンベヤ１上から滑り落ちたり、配置や向き等が変更されることなく目的とする製造工程位置まで安全に、しかも確実に搬送させることが出来るのである。
【００２６】
また、金属製のチェーンコンベヤ及び板状の磁石等を使用しないので、食品類を搬送する場合にも衛生上及び品質保持上安心して使用することが出来る。
【００２７】
以上のように、各樹脂製チェーンブロック単体２に形成した各貫通穴６に着脱可能に挿通させる複数本の連結ピン３ａ及び３ｂのうちの一部を、樹脂製チェーンコンベヤ１上を搬送する金属製の搬送材料（金属製の展板Ｗ）の吸着可能な磁性材料により構成したので、食品生地類を載置した金属製の展板Ｗを急傾斜な搬送ラインにおいて搬送させる場合にも展板Ｗが樹脂製チェーンコンベヤ１上から滑り落ちることなく、安定した状態で保持して搬送させることが出来る。
【００２８】
また、従来のような重量が大きく、高価で板状の磁石を使用することなく、食品類の搬送に安価で安全に使用することが出来、更にチェーンコンベヤの設置や、搬送に多くの手間と時間がかからず、またチェーンコンベヤの長さを任意に調整できるものである。
【００２９】
なお、上記の実施形態では、この発明の樹脂製チェーンコンベヤ１を食品類を搬送するチェーンコンベヤについて説明したが、この食品類を搬送するチェーンコンベヤに限定されず、他の物品類を搬送する場合にも適用出来るものである。
【産業上の利用可能性】
【００３０】
この発明では、例えば、パン，菓子等の食品生地類を載置した金属製の展板を搬送させるための樹脂製チェーンコンベヤにおいて、急傾斜な搬送ラインにおいても展板を滑らせて落下させたり、位置をずらすことなく安定した状態で保持して搬送させることが出来る樹脂製チェーンコンベヤである。
【００３１】
なお、この発明の樹脂製チェーンコンベヤは、食品類を搬送するチェーンコンベヤに限定されず、他の物品類を搬送する場合にも適用出来るものである。
【符号の説明】
【００３２】
１  樹脂製チェーンコンベヤ
２  樹脂製チェーンブロック単体
２ａ，２ｂ  樹脂製チェーンブロック単体の前後端部
３ａ  樹脂製の連結ピン
３ｂ  金属製の連結ピン
４  ブロック本体部
４ａ  搬送面
４ｘ  連結端部片
５ａ，５ｂ  係合部
６  貫通穴
７  コンベヤフレーム
８ａ  駆動スプロケット
８ｂ  従動スプロケット
９  駆動軸
１０  駆動モータ
１１  ガイド用突起
１２  脱落防止用のストッパ
１３  スライド穴
１４  ストッパピン
【図１】
2012166884.tif 000003
【図２】
2012166884.tif 000004
【図３】
2012166884.tif 000005
【図４】
2012166884.tif 000006
【図５】
2012166884.tif 000007
【図６】
2012166884.tif 000008
【図７】
2012166884.tif 000009
【図８】
2012166884.tif 000010
【図９】
2012166884.tif 000011